(57)【特許請求の範囲】
【請求項１】
梁と、柱と、屋根と、吊下部材と、平行連結梁側固定具と、交差連結梁側固定具とを備え、梁は、柱に横架してあり、屋根は、桁を有しており、吊下部材は、桁を梁に吊り下げるものであり、平行連結梁側固定具及び交差連結梁側固定具は、梁と吊下部材とを連結するものであり、平行連結梁側固定具により梁と桁が平行な向きに連結する場合と、交差連結梁側固定具により梁と桁が平面視して交差する向きに連結する場合を選択自在であることを特徴とする組立建物。
【請求項２】
吊下部材は、垂直に設けた垂直アームと、桁の短手方向に傾斜させて設けた傾斜アームとを有し、平行連結梁側固定具は、垂直アームと傾斜アームのそれぞれの上端を、梁の短手方向に離隔した位置で把持するものであり、交差連結梁側固定具は、垂直アームと傾斜アームのそれぞれの上端を、梁の長手方向に離隔した位置で把持するものであることを特徴とする請求項１記載の組立建物。
【発明の詳細な説明】
【技術分野】
【０００１】
本発明は、柱と、柱に横架した梁と、桁を有する屋根とを備え、梁から桁を吊り下げた構造の組立建物に関する。
【背景技術】
【０００２】
従来、カーポート、テラス、バルコニーなどの組立建物において、特許文献１に示すように、柱と、柱に横架した梁と、屋根とを備え、屋根は軒に桁を有していて、梁から桁を吊下部材により吊り下げた構造のものがある。その際、梁と桁とは平面視して交差している。
【先行技術文献】
【特許文献】
【０００３】
【特許文献１】特開２００２−２５６６２３号公報
【発明の概要】
【発明が解決しようとする課題】
【０００４】
ところで、組立建物のより多様な設置パターンを実現するために、梁に対して桁を平行にして屋根を取り付けたいというニーズがある。しかし、特許文献１の組立建物では、梁に対して桁を平行にして連結することはできない。また、そのために梁、桁や吊下部材の構造を変更することは製造コストの上昇につながるため、従来の梁、桁や吊下部材を用いて、梁に対して桁を平行にして連結できる組立建物が求められていた。
【０００５】
本発明は、上記事情を鑑みたものであり、梁から屋根の桁を吊り下げた構造であって、梁と桁が平行な向きに連結する場合と、梁と桁が平面視して交差する向きに連結する場合を選択自在な組立建物を提供することを目的とする。
【課題を解決するための手段】
【０００６】
本発明のうち請求項１の発明は、梁と、柱と、屋根と、吊下部材と、平行連結梁側固定具と、交差連結梁側固定具とを備え、梁は、柱に横架してあり、屋根は、桁を有しており、吊下部材は、桁を梁に吊り下げるものであり、平行連結梁側固定具及び交差連結梁側固定具は、梁と吊下部材とを連結するものであり、平行連結梁側固定具により梁と桁が平行な向きに連結する場合と、交差連結梁側固定具により梁と桁が平面視して交差する向きに連結する場合を選択自在であることを特徴とする。
【０００７】
本発明のうち請求項２の発明は、吊下部材は、垂直に設けた垂直アームと、桁の短手方向に傾斜させて設けた傾斜アームとを有し、平行連結梁側固定具は、垂直アームと傾斜アームのそれぞれの上端を、梁の短手方向に離隔した位置で把持するものであり、交差連結梁側固定具は、垂直アームと傾斜アームのそれぞれの上端を、梁の長手方向に離隔した位置で把持するものであることを特徴とする。
【発明の効果】
【０００８】
本発明のうち請求項１の発明によれば、平行連結梁側固定具と交差連結梁側固定具とを適宜選択して使用することにより、梁と桁が平行な向きと、梁と桁が平面視して交差する向きの何れの向きでも連結することができる。また、同じ梁に複数の屋根を異なる向きに取り付けることもできる。
【０００９】
本発明のうち請求項２の発明によれば、垂直アームと傾斜アームとを有する吊下部材を用いることで構造が強固になり、この吊下部材を、梁と桁が平行な向きと、梁と桁が平面視して交差する向きの何れの向きにおいても使用することができる。
【図面の簡単な説明】
【００１０】
【図１】（ａ）は梁と桁の平行連結部分の側面図であり、（ｂ）はその分解図である。
【図２】平行連結部分の正面図である。
【図３】平行連結部分の平面図である。
【図４】梁と桁の交差連結部分の正面図である。
【図５】交差連結部分の平面図である。
【図６】組立建物の平面図である。
【図７】（ａ）は図６のＡ−Ａ線断面図、（ｂ）は図６のＢ−Ｂ線断面図である。
【図８】組立建物の正面図である。
【発明を実施するための形態】
【００１１】
以下、本発明の実施の形態を図面に基づいて説明する。本発明の組立建物は種々の用途に用いられるが、ここではカーポートの場合を示す。この組立建物は、図６〜図８に示すように、平行に配置した二本の梁１と、二枚の屋根３とを備えており、それぞれの梁１は両端に柱２を連結して門形に組んである。二枚の屋根３は同じものであって、両側の軒に桁７を有しており、一方の屋根３（平行連結屋根３ａ）は梁１と桁７が平行な向きに、他方の屋根３（交差連結屋根３ｂ）は梁１と桁７が平面視して直交する向きにして、二枚の屋根３を略Ｌ字形に配置してあり、吊下部材４によって梁１から桁７を吊り下げて連結してある。以下、梁１と桁７の連結部分について詳述する。
【００１２】
まず、梁１と、平行連結屋根３ａの桁７の連結部分について説明する。この場合、梁１と桁７とが平行になっており、吊下部材４を四箇所に設けてある（図６）。図１〜図３に示すように、桁７は吊下部材４により梁１から吊り下げてあり、吊下部材４と梁１とは平行連結梁側固定具５によって連結してあり、吊下部材４と桁７とは桁側固定具８によって連結してある。吊下部材４は、垂直アーム４１と、傾斜アーム４２からなる。垂直アーム４１は、逆Ｕ字形で、梁１から桁７に向けて垂直に設けてあり、傾斜アーム４２は、略台形で、梁１から桁７に向けて桁７の短手方向に傾斜させて設けてある。
【００１３】
平行連結梁側固定具５は、平板状の基部５１と、把持部５２とを有している。基部５１は梁１の短手方向に分割されており、それぞれの基部５１には、梁１の短手方向に延びるボルト挿通孔５３を形成してある。把持部５２は、分割されたそれぞれの基部５１の、梁１の側面側端部に設けてあって、基部５１の端部から略水平方向に突出する受部５２ａと、受部５２ａを側方から覆うカバー材５２ｂからなる。さらに、基部５１の端部からは上方に向けて垂直片５４が延びている。一方、梁１の下面には、長手方向の全長にわたって溝状の取付部１１を形成してある。この取付部１１に略矩形の裏板５５を係止させ、平行連結梁側固定具５の基部５１を梁１の下面に当接させて、ボルトをボルト挿通孔５３に挿入して裏板５５と連結している。この際、垂直片５４は梁１の側面に当接している。そして、受部５２ａに垂直アーム４１及び傾斜アーム４２の上端部分を引っ掛けて、側方からカバー材５２ｂで覆い、カバー材５２ｂを、垂直片５４を貫通して梁１の側面にネジ止めしてある。このようにして、垂直アーム４１と傾斜アーム４２のそれぞれの上端が、梁１の短手方向に離隔した位置で把持される。なお、平行連結梁側固定具５は、梁１の長手方向の任意の位置に取り付けることができる。また、基部５１が分割されており、かつ基部５１のボルト挿通孔５３が長孔になっているから、平行連結梁側固定具５は短手方向幅が異なる種々の梁１に取り付けることができる。
【００１４】
桁側固定具８は、三つ一組で、桁７の長手方向に並べて用いている。それぞれの桁側固定具８は、本体８１に、桁７の長手方向に貫通する取付孔８２を有しており、両側の桁側固定具８の取付孔８２に垂直アーム４１の下端部分を挿入してある。さらに、中央の桁側固定具８の上面に傾斜アーム４２の下端部分が当接し、その上から被覆材８３を取り付けて桁側固定具８と傾斜アーム４２を連結している。桁側固定具８の下端には鉤状の係合部８４を形成してあり、桁７の長手方向全長にわたって設けた被係合部７１に係合する。さらに、桁側固定具８は裏板８５を有し、また桁７の上面には長手方向の全長にわたって溝状の桁上面取付部７２が形成してあり、裏板８５が桁上面取付部７２に係止されていて、本体８１と裏板８５とをボルト止めしてある。なお、桁側固定具８は、桁７の長手方向の任意の位置に取り付けることができる。
【００１５】
このように、平行連結梁側固定具５は、梁１の長手方向の任意の位置に取り付けることができ、また桁側固定具８は、桁７の長手方向の任意の位置に取り付けることができるので、平行連結屋根３ａは、梁１の長手方向の任意の位置に取りつけることができる。
【００１６】
次に、梁１と、交差連結屋根３ｂの桁７の連結部分について説明する。この場合、梁１と桁７とが平面視して直交しており、吊下部材４を四箇所に設けてある（図６）。図４及び図５に示すように、桁７は吊下部材４により梁１から吊り下げてあり、吊下部材４と梁１とは交差連結梁側固定具６によって連結してあり、吊下部材４と桁７とは桁側固定具８によって連結してある。吊下部材４は、平行連結屋根３ａに用いたものと同じものであり、垂直アーム４１と傾斜アーム４２からなる。また、桁側固定具８も、平行連結屋根３ａに用いたものと同じである。
【００１７】
交差連結梁側固定具６は、二つ一組のもので、略矩形の裏板６１と、略半円形状の保持部材６２と、円形の受材６３からなり、裏板６１と受材６３で垂直アーム４１と傾斜アーム４２それぞれの上端部分を上下から挟み、さらに二つの保持部材６２でそれぞれの上端部分を水平方向から挟んで、裏板６１、保持部材６２及び受材６３を貫通してボルト止めしてある。そして、裏板６１が取付部１１に係止されている。このようにして、垂直アーム４１と傾斜アーム４２のそれぞれの上端が、梁１の長手方向に離隔した位置で把持される。なお、交差連結梁側固定具６は、梁１の長手方向の任意の位置に取り付けることができる。また、図５に示すように、保持部材６２には円弧状のボルト挿通孔６４を形成してあり、このボルト挿通孔６４の範囲で桁７に対して梁１を傾斜させて連結できる。
【００１８】
このように、交差連結梁側固定具６は、梁１の長手方向の任意の位置に取り付けることができ、また桁側固定具８は、桁７の長手方向の任意の位置に取り付けることができるので、交差連結屋根３ｂは、水平方向の任意の位置に取り付けることができる。さらに、交差連結屋根３ｂは梁１に対して平面視して傾斜させて取り付けることもできる。
【００１９】
以上のように、平行連結屋根と交差連結屋根のそれぞれの連結部分において、異なる部材は平行連結梁側固定具と交差連結梁側固定具のみであり、それ以外はすべて共通の部材が用いられている。よって、平行連結梁側固定具と交差連結梁側固定具とを適宜選択して使用することにより、梁と桁が平行な向きと、梁と桁が平面視して交差する向きの何れの向きでも連結することができる。また、本実施形態のように、同じ梁に複数の屋根を異なる向きに取り付けることもできる。そして、垂直アームと傾斜アームとを有する吊下部材を用いることで構造が特に強固になっており、上述の平行連結梁側固定具及び交差連結梁側固定具を用いることで、この吊下部材を、梁と桁が平行な向きと、梁と桁が平面視して交差する向きの何れの向きにおいても使用することができる。
【００２０】
本発明は、上記の実施形態に限定されない。吊下部材、平行連結梁側固定具、交差連結梁側固定具及び桁側固定具の構造は、梁と桁が平行な向きと、梁と桁が平面視して交差する向きの何れの向きでも連結することができるものであれば、どのようなものであってもよい。また、屋根の配置パターンも自在であり、二枚の屋根をＬ字形に配置する以外に、たとえばＴ字形に配置したり、交差連結屋根を梁に対して傾斜させたりしてもよいし、同じ梁に三枚以上の屋根を取り付けてもよい。さらに、屋根は平面視して矩形のものに限られず、台形や平行四辺形などであってもよい。また、この組立建物は、カーポート以外に、テラスやバルコニーなどとして使用するものであってもよい。
【符号の説明】
【００２１】
１  梁
２  柱
３  屋根
４  吊下部材
５  平行連結梁側固定具
６  交差連結梁側固定具
７  桁
４１  垂直アーム
４２  傾斜アーム
【図１】
0005530378.tif 000002
【図２】
0005530378.tif 000003
【図３】
0005530378.tif 000004
【図４】
0005530378.tif 000005
【図５】
0005530378.tif 000006
【図６】
0005530378.tif 000007
【図７】
0005530378.tif 000008
【図８】
0005530378.tif 000009